(57)【要約】【課題】スキンケア剤による効果の持続性を高めることができる吸収性物品を提供する。【解決手段】肌当接面側の表面シート、非肌当接面側の裏面シート、及び前記表面シートと前記裏面シートとの間に介在される吸収体を備える吸収性物品であって、前記表面シートは肌当接面側にスキンケア剤を含む凸部を備えており、前記凸部は、厚み方向の断面視にて、２つの峰部と該２つの峰部に挟まれた窪み部とを有し、前記窪み部には前記峰部よりもスキンケア剤が多く配されている吸収性物品。【選択図】図１
2020146133.tif 000002
【特許請求の範囲】
【請求項１】
肌当接面側の表面シート、非肌当接面側の裏面シート、及び前記表面シートと前記裏面シートとの間に介在される吸収体を備える吸収性物品であって、
前記表面シートは肌当接面側にスキンケア剤を含む凸部を備えており、
前記凸部は、厚み方向の断面視にて、２つの峰部と該２つの峰部に挟まれた窪み部とを有し、前記窪み部には前記峰部よりもスキンケア剤が多く配されている吸収性物品。
【請求項２】
前記凸部の根本壁部が、該根本壁部の上方にある壁部よりも、高い繊維密度を有する請求項１記載の吸収性物品。
【請求項３】
前記表面シートは高凸部と、該高凸部よりも高さが低い低凸部とを備えており、該高凸部が、前記スキンケア剤を含む凸部である、請求項１又は２記載の吸収性物品。
【請求項４】
前記スキンケア剤を含む凸部が、前記表面シートの平面方向に点在している請求項１〜３のいずれか１項に記載の吸収性物品。
【発明の詳細な説明】
【技術分野】
【０００１】
本発明は、おむつや生理用ナプキン等の吸収性物品に関する。
【背景技術】
【０００２】
おむつや生理用ナプキン等の吸収性物品において、着用者の皮膚トラブルを低減するための技術が提案されてきた。
例えば、特許文献１において、高密度部と低密度部とを有する表面シートの肌当接面側にスキンケア剤を適用させた吸収性物品が記載されている。また、特許文献２記載の吸収性物品では、通気性による皮膚トラブル低減のため、積層された表面シートに隆起部を形成し該隆起部に高密度部を形成することが記載されている。
【先行技術文献】
【特許文献】
【０００３】
【特許文献１】特開２０１１−１３１０４４号公報
【特許文献２】特開２００６−２６３２９６号公報
【発明の概要】
【発明が解決しようとする課題】
【０００４】
表面シートに塗布されたスキンケア剤は肌に移行してその効果を発揮する。吸収性物品の装着初期にはスキンケア剤は十分に肌に移行し得るが、装着時間・排泄の経過とともに表面シートに残るスキンケア剤は低減していく。そのため、従来、装着時間が延びる程、排泄の影響によりスキンケア剤の肌への移行量が低減し、スキンケア効果が薄れてきやすかった。
本発明は、上記の点に鑑み、スキンケア剤による効果の持続性を高めることができる吸収性物品の提供に関する。
【課題を解決するための手段】
【０００５】
本発明は、肌当接面側の表面シート、非肌当接面側の裏面シート、及び前記表面シートと前記裏面シートとの間に介在される吸収体を備える吸収性物品であって、前記表面シートは肌当接面側にスキンケア剤を含む凸部を備えており、前記凸部は、厚み方向の断面視にて、２つの峰部と該２つの峰部に挟まれた窪み部とを有し、前記窪み部には前記峰部よりもスキンケア剤が多く配されている吸収性物品を提供する。
【発明の効果】
【０００６】
本発明の吸収性物品は、スキンケア剤による効果の持続性を高めることができる。
【図面の簡単な説明】
【０００７】
【図１】本発明における一実施形態としてのテープ型のおむつを展開させて肌当接面側からみた一部切欠平面図である。
【図２】図１のＩＩ―ＩＩ線に沿った拡大断面図であり、符号Ｐで示す円内の図は凸部の拡大断面図である。
【図３】（Ａ）は凸部が斜めに傾いて隆起している状態を示す断面図であり、（Ｂ）は凸部が隆起の途中で屈曲している状態を示す断面図である。
【図４】凸部が円錐台の形状を有する態様を示す部分拡大斜視図である。
【図５】凸部が筋状の形状を有する態様を示す一断面斜視図である。
【図６】表面シートが第１不織布及び第２不織布からなる態様を示す断面図である。
【図７】表面シートが高凸部と低凸部とを備える態様を示す断面図である。
【図８】スキンケア剤を配した窪み部を有する凸部が表面シートの全体に配置される場合の配置パターンを一部拡大して示す平面図である。
【図９】（Ａ）は、スキンケア剤を配した窪み部を有する凸部が表面シートの平面方向に格子状に点在する配置パターンを一部拡大して示す平面図であり、（Ｂ）及び（Ｃ）は、スキンケア剤を配した窪み部を有する凸部を長手方向Ｙに並べた列が幅方向Ｘに間欠配置されて点在する配置パターンを一部拡大して示す平面図である。
【図１０】図１に示すおむつの表面シートにおいて、ストライプ状の複数の領域に、スキンケア剤を配した窪み部を有する凸部の列を配置する態様を示す平面図である。
【発明を実施するための形態】
【０００８】
以下、本発明に係る吸収性物品の好ましい一実施形態としてのおむつ１０について、図面を参照しながら説明する。なお、図１においては、おむつ１０をテープ型として示したがこれに限定されるものでなく、例えばパンツ型であってもよい。
【０００９】
本発明においては、着用者の肌に接触する側を肌面側ないし肌当接面側あるいは表面側といい、これと反対側を非肌面側ないし非肌当接面側あるいは裏面側という。これらは、着用者の肌に接触する面を有さない部材に関しても、吸収性物品の部材構成における相対的な位置関係を示す用語として用いる。また、着用時に着用者の前側に位置する方向を前方といい、後側に位置する方向を後方という。吸収性物品の表面又は裏面の法線方向を厚み方向という。なお、前記前側とは着用者の腹側であり、前記後側とは着用者の背側である。
【００１０】
図１は、本実施形態のおむつ１０を展開して肌当接面側から平面視した状態を示している。この状態で、おむつ１０は、着用者の前側、股下及び後側のそれぞれに配される前側部Ｆ、股下部Ｃ及び後側部Ｒに区分され、前側部Ｆ、股下部Ｃ及び後側部Ｒがつながる方向に相当する長手方向Ｙと、長手方向Ｙに直交する幅方向Ｘとを有する。
【００１１】
おむつ１０は、構成部材として、肌当接面側に配置される表面シート１、非肌当接面側に配置される防漏性の裏面シート２、及び表面シート１と裏面シート２との間に介在される吸収体３とを有する。
表面シート１は、液透過性の柔らかい素材からなり、例えば、親水性の不織布からなることが好ましい。本実施形態においては、表面シート１が親水性の不織布からなるものとして説明する。
吸収体３は、排泄液の吸収材料の集合体（以下、吸収性コアともいう。）を有し、例えば、パルプ繊維の集合体、又はパルプ繊維と高吸水性ポリマー材の集合体を有する。吸収性コアは形状保持性の観点から、親水性の被覆シート（図示せず）で覆われていることが好ましい。裏面シート２は、防漏性を備えた部材からなることが好ましく、例えば、通気性を有した透湿性フィルムに肌ざわりのよい外装の不織布を積層したものが好ましい。
【００１２】
本実施形態において、表面シート１の肌当接面側には、その長手方向Ｙの両側部から幅方向Ｘの左右外方に向けて、一対のサイドシート８、８が配されている。おむつ１０は、股下部Ｃが括れており、前側部Ｆ及び後側部Ｒが幅方向に張り出した外形を有する。前側部Ｆ及び後側部Ｒの張り出した部分が、左右一対の前側サイドフラップ１０Ａと後側サイドフラップ１０Ｂとをなしている。後側サイドフラップ１０Ｂのそれぞれ幅方向外方縁部には、装着時におむつ１０を身体に固定する際に使用するファスニングテープ９、９が配されている。
【００１３】
次に、表面シート１について詳述する。
表面シート１は、肌当接面側に凸部６を備えている。本実施形態の表面シート１は、複数の凸部６と、凸部６、６間の凹部７とを有する凹凸構造５を備えている。凹凸構造５において、凸部６及び凹部７は、表面シート１の肌当接面側の平面方向に交互に複数配されている。凸部６は、表面シート１の肌当接面側の全体の領域にあってもよく、一部の領域にあってもよい。少なくとも表面シートが着用者の肌に触れる領域に凸部６が配されていることが好ましい。例えば、図１に示す、表面シート１が一対のサイドシート８、８に覆われず、肌当接面側に露出している領域（おむつ１０の幅方向Ｘの中心Ｌから所定幅にて表面シート１の長手方向Ｙに亘る領域）Ｍ１に凸部６が配されていることが好ましい。長手方向Ｙについては、凸部６は、吸収体３の存在領域に配されているのが好ましく、少なくとも排泄部位から臀部を覆う領域（製品長手方向中心を挟んで２００ｍｍの領域）に配されていることがより好ましい。また、凸部６を含む凹凸構造５も上記の範囲に配されていることが好ましい。これにより、肌トラブルの生じやすい部位に剤が移行しやすくなり、当該部位のケアを有効に行うことが容易となる。なお、本発明において、凸部の数は上記の実施形態のものに限定されず、吸収性物品の大きさや形状等に応じて適宜決められ、１つであってもよく、２以上の複数であってもよい。
【００１４】
図２に示すように、凸部６上にスキンケア剤４を含んでいる。「凸部６上」とは、凸部６の表面（肌当接面側を向く面）を意味する。
【００１５】
本発明で用いるスキンケア剤について説明する。本発明で用いるスキンケア剤としては、着用者の肌に対して保護、治癒等の効能を有するものを特に制限なく用いることができる。例えば、好ましいスキンケア剤として、下記式（Ｉ）で表されるジアミド誘導体が挙げられる。下記式（Ｉ）で表されるジアミド誘導体は、国際公開公報ＷＯ００／６１０９７号に記載されている発明のジアミド誘導体であり、角質層の水分保持能力及びバリヤ機能を改善する、という薬効を有している。該ジアミド誘導体が、吸収性物品の着用中に着用者の肌に移行すると、油性スキンケア剤として機能し、肌のかぶれを抑制／改善することができる。
【化１】
2020146133.tif 000003
式中、Ｒ１は、ヒドロキシ基及び／又はアルコキシ基が置換していてもよい、炭素数１〜２２の直鎖又は分岐鎖の炭化水素基を示し、Ｒ２は、炭素数１〜１２の直鎖又は分岐鎖の二価の炭化水素基を示し、Ｒ３は、炭素数１〜４２の直鎖又は分岐鎖の二価の炭化水素基を示す。
【００１６】
スキンケア剤として前記ジアミド誘導体を使用する場合、使用するジアミド誘導体は１種のみであってもよいし、２種以上を併用することもできる。
本発明で使用可能な他のスキンケア剤としては、例えば化粧品の分野においてエモリエント剤として用いられているスキンケア剤等を用いることができる。他のスキンケア剤の具体例としては、流動パラフィン、シリコーンオイル、動植物油（オリーブ油、ホオバ油、ベニバナ油、スクワラン及びスクワレン等）、モノグリセライド、ジグリセライド、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル、ステアリル−１，３−メチルプロピルエーテル等）、イソステアリル−コレステロールエステル、パラフィンワックス、Ｃ１２〜Ｃ２２脂肪酸、Ｃ１２〜Ｃ４４脂肪酸エーテル、Ｃ１２〜Ｃ２２脂肪アルコール、ワセリン、脂肪酸ソルビタンエステル（モノエステル、ジエステル、及びトリエステルのいずれでもよい。）、ポリオキシエチレン脂肪酸ソルビタンエステル（モノエステル、ジエステル、及びトリエステルのいずれでもよい。）、金属石験（ステアリン酸マグネシウム等）、ショ糖脂肪酸エステル、シクロデキストリン脂肪酸エステル、シリコーン、シリコーン系レジン、特開２００４−２９８６４３号公報又は特表２００８−５２２７７２号公報に記載されている発明で使用されるエモリエント剤やエモリエント剤と固定化剤を含むローション組成物等が挙げられる。前記各種の親水性のスキンケア剤は、１種を単独で使用してもよいし、２種以上を併用してもよい。
【００１７】
スキンケア剤の好ましい実施形態としては、装着前は凸部に留まりやすい流動性の低い固形状であり、装着時の体温等による加温で半固体となり流動性が生じるものが挙げられる。これにより、凸部６の後述する構造おけるスキンケア剤の持続的な移行をより効果的に実現することができる。
【００１８】
凸部６は肌当接面側に隆起している。凸部６における隆起する方向に沿った相対的な位置関係として、肌に触れる位置に近い方を上方、遠い方を下方という。また、凸部６の隆起高さＨ１を２等分して、肌に触れる位置に近い方を上部６Ｔ、上部６Ｔよりも下方側の部分を根本部６Ｎとして区分する。「凸部６の隆起高さＨ１」は、凸部６の側面視（又は厚み方向の断面視）において、凸部６の肌当接面側の表面の最も高い部分から最も低い部分までの厚み方向の距離を言いう。この距離は、例えばデジタルマイクロスコープ（株式会社キーエンス製）を用いて厚み方向の断面を観察し、凸部６の峰部６１つまり肌当接面側の表面の最も高い部分から最も低い部分までの厚み方向の最短距離における高さによって測定することができる。なお、前述の「厚み方向の断面視」とは、表面シート１の厚み方向に沿う平面にて切断した断面に対して、該断面と直交する方向から観察することを言う。
【００１９】
凸部６は、図２に示すように、厚み方向の断面視において、２つの峰部６１と２つの峰部６１に挟まれた窪み部６２とを有する。なお、上記規定は、凸部６に対して種々とり得る厚み方向の断面の中で、窪み部６２を通る厚み方向の断面であって、上記要件（２つの峰部６１と２つの峰部６１に挟まれた窪み部６２の要件）を満たす断面が少なくとも１つあることを意味する。したがって、とり得る断面全てについて上記要件を満たすことを要しない。
峰部６１及び窪み部６２は、凸部６の上部６Ｔに配されている。峰部６１及び窪み部６２は、上部６Ｔの中でも、着用者の肌に接する部分にあること好ましい。具体的には、個々の凸部６において、峰部６１の少なくとも一部が凸部６の隆起高さＨ１の最も高い位置配されることが好ましい。この凸部６の隆起高さＨ１の最も高い位置にある峰部６１に隣接して、窪み部６２が配されることが好ましい。
【００２０】
凸部６は、図２示すように表面シート１の平面方向に対して垂直に隆起するものに限定されない。例えば、図３（Ａ）お及び（Ｂ）に示すように斜めに傾いて隆起するものや、隆起の途中で屈曲するものなどがあってもよい。凸部６がどのような隆起形状を有していても、凸部６の隆起高さＨ１は、前述したとおり、凸部６の肌当接面側の表面の最も高い部分から最も低い部分までの厚み方向の距離を言いう。また、個々の凸部６において、峰部６１の高さが均一でもよく、不均一でもよい。更に凸部６同士で、峰部６１の高さが均一でもよく、不均一でもよい。
【００２１】
峰部６１は、凸部６の形状に応じて形成される。
例えば、図４に示すように個々の凸部６が互いに独立した錐台形状である場合、峰部６１は、凸部６を平面視して環状に形成される。この場合、窪み部６２は、平面視において、環状の峰部６１に囲まれた領域に配される。なお、峰部６１が環状である場合、該環状は切れ目が無い完全な環になっていてもよく、途中で環が途切れる部分を有していてもよい。凸部６が錐台形状である場合、表面シート１の柔らかい肌触りを高める観点から、凸部６が円錐台形状であることが好ましく、峰部６１の平面視の形状が円形であることが好ましい。
また、図５に示すように各凸部６が平面方向に筋状に形成されている場合、これに合わせて、峰部６１も筋状に形成される。この場合、筋状の峰部６１が２本並走して配され、峰部６１、６２の間に挟まれた領域に窪み部６２が配される。筋状の峰部６１の場合も、筋に切れ目が無くてもよく、筋の途中に途切れる部分があってもよい。
図４及び図５のいずれの態様であっても、窪み部６２を通る厚み方向の凸部６の断面においては、２つの峰部６１、６１とその間の窪み部６２とが確認できる。
【００２２】
峰部６１は、表面シート１の柔らかい肌触りを高める観点から、先端が丸みのある形状であることが好ましい。また、峰部６１は、スキンケア剤４の肌への移行性を円滑にするため、前記先端から窪み部６２に向かって下る傾斜面（テーパ形状）を有することが好ましい。
【００２３】
窪み部６２は、図２、図３（Ａ）及び（Ｂ）に示すように、峰部６１に隣接し、肌当接面側に向かって開口している。また、窪み部６２は、凸部６の隆起形状を損なわない程度に、凸部６の隆起高さＨ１未満で浅く窪んだ部分である。窪み部６２の深さＨ２は、表面シート１の凹凸構造５による柔らかい肌触りやクッション性を保持する観点から、凸部６の隆起高さＨ１に対して５０％以下が好ましく、４０％以下がより好ましい。また、窪み部６２の深さＨ２は、下記のスキンケア効果の持続性を高める観点から、凸部６の隆起高さＨ１に対して１０％以上が好ましく、２０％以上がより好ましい。窪み部６２の深さＨ２は、前述の「凸部６の隆起高さＨ１」の測定方法を準用し、峰部６１の最も高い位置に配される部分を基準とし、該位置から下る深さとして測定することができる。なお、窪み部６２は、図２、図３（Ａ）及び（Ｂ）に示すように１つの凸部６に対して１箇所配される場合に限らず、複数個所に配されていてもよい。
【００２４】
個々の凸部６において、窪み部６２には峰部６１よりもスキンケア剤４が多く配されている。ここでいうスキンケア剤４の量は、峰部６１及び窪み部６２の肌当接面側の面上に存在するスキンケア剤４の量を言う。このスキンケア剤４の量の大小関係は下記の方法によって測定することができる。
【００２５】
（スキンケア剤の量の大小関係の評価方法）
スキンケア剤４の量の大小関係を評価する方法として、赤外分光法（ＩＲ）を用いることができる。スキンケア剤４が多いところと少ないところを比較する場合にはＩＲにより得られる、対象とするスキンケア剤由来の赤外吸収ピークの高さの比較により、スキンケア剤が多いところと少ないところの判断が可能である。すなわち赤外吸収ピークの高い（吸収量の多い）方が、存在するスキンケア剤４が多いと判断できる。
赤外分光法にはＡＴＲ法を用いることができ、測定する範囲が十分に広い場合は直接測定（マクロ：２〜３ｍｍ）することで得られる吸収ピークのうち任意のもの（例えば前述のジアミド誘導体の場合はアミド基の吸収ピークである３３００ｃｍ−１）を比較することができる。また、測定する部位が小さい場合には顕微（１００μｍ）を用いると良い。
一例として上記測定の要領を下記に示す。
測定装置：パーキンエルマー社  Spectrum  One  （＋Multiscope）
マクロ測定：ＡＴＲプローブはダイヤモンドを用いて１回反射で測定
顕微測定：ＡＴＲプローブはゲルマニウムを用いて測定
波数分解能：４ｃｍ−１
積算回数：４回（マクロ測定）、１６回（顕微測定）
【００２６】
上記のスキンケア剤の配置によって、肌に接する凸部６の上部６Ｔにある窪み部６２にスキンケア剤４が留まっており、少量のスキンケア剤４の配置であっても、効率よく肌に移行させることができる。また、肌に接する凸部６において、窪み部１２がスキンケア剤４の貯蔵部となっており、峰部６１と同じ高さ位置のみならず、峰部６１よりも低い位置にもスキンケア剤４を留めて安定的に保持可能である。更に窪み部６２は、スキンケア剤４の物理的な脱落や排泄物による流れ落ちを防ぐことができる。他方、窪み部６２に隣接する峰部６１は、肌面に接触してスキンケア剤４を肌に移行させる。また、峰部６１は、隣接する窪み部６２からのスキンケア剤４の供給を受けることも可能であり、肌へのスキンケア剤４の移行を持続させやすい。窪み部６２からの峰部６１へのスキンケア剤４の供給は、例えば、表面シート１と肌面との接触や擦れ等を契機として生じ得る。また、表面シート１と肌面との接触や擦れの程度によっては、峰部６１に対する強い押圧に伴って、窪み部６２に留まるスキンケア剤４が直接肌面に触れて移行することもある。これらの移行は、スキンケア剤４が体温等による加温によって流動性が高められることによって、より生じやすくなる。
これにより、凸部６における峰部６１と窪み部６２との組み合わせが、スキンケア剤４を徐々に持続的に肌に移行させ、スキンケア効果の持続性を高める。その結果、おむつ１０は良好な装着感を長く維持することができる。
また、おむつ１０において、表面シート１が上記の凸部６を有することによって、表面シート１と着用者の肌面との接触面積を抑えて、通気性を高めることができる。この通気性と前述のスキンケア効果の持続性とが相俟って、おむつ１０の良好な着用感を更に高める。
【００２７】
上記の測定方法に基づいて、窪み部６２におけるスキンケア剤４の量Ｑ１の峰部６１におけるスキンケア剤４の量Ｑ２に対する比Ｑ１／Ｑ２は、スキンケア剤４の持続的な肌への移行性を高める観点から、１．１／１以上が好ましく、１．２／１以上がより好ましく、１．５／１以上が更に好ましい。また、前記比Ｑ１／Ｑ２は、吸収性能の阻害を抑制する観点から、２０／１以下が好ましく、１０／１以下がより好ましく、５／１以下が更に好ましい。
【００２８】
峰部６１及び窪み部６２に上記の比によるスキンケア剤４の量を配することで、表面シート１全体におけるスキンケア剤４の量を過剰にせずに抑えることができる。これにより、吸収性能の阻害を抑えつつ、持続的にスキンケア剤が肌面へ移行されることとなり好ましい。この観点から、表面シート１に配されるスキンケア剤４の量は、５ｇ／ｍ２以下が好ましく、３ｇ／ｍ２以下がより好ましく、１ｇ／ｍ２以下が更に好ましい。また、表面シート１に配されるスキンケア剤４の量は、スキンケア効果を十分に発揮させる観点から、０．０１ｇ／ｍ２以上が好ましく、０．０５ｇ／ｍ２以上がより好ましく、０．１ｇ／ｍ２以上が更に好ましい。スキンケア剤の量は、スキンケア剤の種類によって適当な溶媒を選択し、表面シート１から抽出を行い、ガスクロマトグラフィ（ＧＣ）又は高速液体クロマトグラフィ（ＨＰＬＣ）を用いた定量を行うことによって得ることができる。また、定量されたスキンケア剤の量を、抽出の対象とした表面シート１の面積で除することで単位面積当たりのスキンケア剤の量を求めることができる。用いる溶媒としては、メタノールやエタノール等の極性の高い溶媒（高極性溶媒）、ヘキサン等の非極性溶媒、又は高極性溶媒よりも極性の低い溶媒から１種又は２種以上を組み合わせて使用することができる。
【００２９】
凸部６は、図２〜５に示すように中空部６３を備えるものであってもよく、中空部６３を備えない中実であってもよい（図示せず）。ただし、凸部６は中空部６３を備える方が好ましい。これにより、着用者の動きに伴う表面シート１に対する荷重の変化があっても凸部６が柔軟に肌面に追従して、前述のスキンケア剤４の持続的な肌への移行をより良好に発現させることができる。加えて、凸部６による柔らかい肌触りやクッション性をより良好にすることができる。
【００３０】
表面シート１は、図２〜５において１枚の不織布からなるものとして示したが、これに限らず、複数の不織布を厚み方向に積層させたものであってもよい。その具体例として、図６に示すものが挙げられる。図６に示す表面シート１では、肌当接面側の第１不織布１１が凹凸構造５を備え、非肌当接面側の平坦な第２不織布１２と接合されている。第２不織布１２は第１不織布１１の凹部７の底面７１と接合されていることが好ましい。第１不織布１１と第２不織布１２との接合は、接着剤によるものでもよく、エンボス処理の熱融着によるものでもよい。中空部６３が第１不織布１１と第２不織布１２とに囲まれ、中空部６３の周辺に第１不織布１１と第２不織布１２との接合部分が配されることによって、中空部６３及びこれを内包する凸部６の形状安定性が増す。これにより、前述の峰部６１及び窪み部６２によるスキンケア剤４の持続的な肌への移行をより安定的に実現することができる。加えて、凸部６による柔らかい肌触りやクッション性が良好に発現される。
【００３１】
表面シート１の凸部６は、吸収性物品において通常用いられる種々の方法によって製造することができる。例えば、表面シート１を構成する不織布をエアスルー法によって形成する際に、凹凸支持体上に融着前の繊維ウエブを載置して熱風処理を行うことにより凹凸賦形して凸部６を形成することができる。歯溝ロール等を用いて不織布又は繊維ウエブを凹凸賦形してもよい。歯溝ロールを用いる場合、１枚の不織布を凹凸賦形すると同時に、凹部においてもう１枚の平坦な不織布と熱融着して、図６に示すような凸部６を形成してもよい。また、間欠的なエンボス処理によって不織布又は繊維ウエブを凹凸賦形してもよい。この場合、繊維ウエブに熱収縮性の繊維を所定領域に含ませ、間欠的なエンボス処理をした後、熱風処理により非エンボス部を隆起させて凸部とし、エンボス部を凹部として形成してもよい。
凸部６における窪み部６２は、凸部６の形成の後に形成することができる。窪み部６２の形成において、吸収性物品において通常用いられる種々の方法を採用することができる。例えば、熱圧縮することで押し潰すように賦形して窪み部を形成する方法、賦形後に機械力を与えることで頂部にへこみを与える方法、凹凸支持体の凸部の頂部にあらかじめ通気口を有する窪みを設けておき、凸部内から吸引する方法等が挙げられる。
【００３２】
凸部６へのスキンケア剤４の適用は、吸収性物品において通常用いられる種々の方法によって行うことができる。特に、接触式のコーターを用い所定の圧力を加えながら塗工することが好ましい。これにより、より確実に、窪み部６２に対しスキンケア剤４を峰部６１よりも多く配することができる。
【００３３】
本実施形態において、凸部６の根本壁部６４が、根本壁部６４の上方にある壁部（以下、上方壁部という）６５よりも高い繊維密度を有することが好ましい。各壁部における繊維密度とは、表面シート１の表面における単位面積当たりの繊維の本数のことである。凸部６の根本壁部６４は、上記のように高い繊維密度を有する場合、凸部６の根本壁部６４の上方壁部６５に比べて繊維の本数が多い（繊維間距離が小さい）、密な領域になっている。根本壁部６４の繊維密度が大きいことで、凸部６形状を維持することができる。また、根本壁部６４比べ、上部壁部６５および窪み部６２が変形しやく、装着状態において、着用者の肌と最も当接しやすい領域において、柔らかな感触による肌触りの良さを実現できる。なお、ここ言う「根本壁部６４」とは、前述した根本部６Ｎにおける凸部６の表面部分である。また、「上方壁部６５」は、前述した上部６Ｔにおける凸部６の表面部分を言う。
【００３４】
（凸部６の根本壁部６４の繊維密度及び上方壁部６５の繊維密度の測定方法）
本発明において、根本壁部６４及び上方壁部６５の「繊維密度」は、表面シート１の形状を変化させない状態において（例えば、表面シート１に荷重をかけずに非接触にて）、凸部６の根本壁部６および上方壁部６５をそれぞれ光学顕微鏡にて観察し、所定のシート（図６においては第１不織布１１）における根本壁部６４および上方壁部６５部分の表面の単位面積あたりの繊維の本数を測定することによって算出する。
【００３５】
上記の測定方法に基づいて、根本壁部６４の繊維密度Ｓ１の、根本壁部６４の上方壁部６５の繊維密度Ｓ２に対する比Ｓ１／Ｓ２は、凸部６の柔らかい肌触りと凸部６全体の潰れ難さとを両立させる観点から、１．１／１以上が好ましく、１．２５／１以上がより好ましく、１．５／１以上が更に好ましい。また、前記比Ｓ１／Ｓ２は、吸収性能および凸部６の柔らかい肌触りと凸部６全体の潰れ難さの観点から、５／１以下が好ましく、４／１以下がより好ましく、３／１以下が更に好ましい。
【００３６】
上記のような繊維密度の高低差は、例えば、特開２０１２−１３６７９０号の各実施例の記載の方法によって形成することができる。カード機からウェブ賦形装置に供給したウエブを、多数の突起を有し通気性を有する台座の上に定着させ、次いで、その台座上の繊維ウェブに熱風を吹きつけて、台座上の突起にそって繊維ウェブを賦形するとともに、各芯鞘構造の繊維を融着させる方法が挙げられる。当該方法によれば、熱風によって台座から離れる方向へ追いやられたウエブの領域では繊維密度が小さくなり、台座に近いウエブの領域では繊維が追いやられる距離が短いために繊維密度が相対的に大きくなる。
【００３７】
また本実施形態において、表面シート１が、図７に示すように、高凸部６６と該高凸部６６よりも高さが低い低凸部６７とを備えていてもよい。この場合、高凸部６６が、スキンケア剤４を含む窪み部６２を有する凸部６であることが好ましい。すなわち、高凸部６６が、厚み方向の断面視にて、２つの峰部６１と該２つの峰部６１に挟まれた窪み部６２とを有し、窪み部６２には峰部６１よりもスキンケア剤が多く配されていることが好ましい。これにより、着用者の肌に対するスキンケア剤４の持続的な移行を更に安定的に実現することができる。この場合、高凸部６６にスキンケア剤４を含む窪み部６２が配される限り、低凸部６７にもスキンケア剤４を含む窪み部６２が配されていてもよい。
【００３８】
本実施形態において、スキンケア剤４を含む窪み部６２を有する凸部６は、前述のスキンケア剤４の持続的な肌への移行を実現する限り、表面シート１の肌当接面側に対して種々のパターンにて配置することができる。
【００３９】
例えば、図１に示す、おむつ１０の幅方向Ｘの中心Ｌから所定幅にて表面シート１の長手方向Ｙに亘る領域（表面シート１が一対のサイドシート８、８に覆われず、露出している領域）Ｍ１全体に、スキンケア剤４を含む窪み部６２を有する凸部６が配されていてもよい。これにより、スキンケア剤を持続的に移行できる範囲が広範囲となり好ましい。その具体例として、凸部６を図４に示すような独立した錐台形状にし、図８に示すように凸部６全部に、スキンケア剤４を含む窪み部６２を配することが挙げられる。
【００４０】
一方、上記の領域Ｍ１に対して、スキンケア剤４を含む窪み部６２を有する凸部６が表面シート１の平面方向に点在していてもよい。点在配置の場合、窪み部の無い凸部上のスキンケア剤が初期の時点で優先的に移行し、窪み部６２を有する凸部では持続的にスキンケア剤が肌に移行するので、おむつ装着初期から経時まで効果的にスキンケア効果を維持できる。また、窪み部の無い凸部を残すことにより、表面材のクッション性、通気性及び通液性能を確保することが可能となり好ましい。点在配置としては、規則的な点在配置、不規則な点在配置のいずれであってもよい。
規則的な点在配置の具体例としては、図９（Ａ）に示すように、スキンケア剤４を含む窪み部６２を有する凸部６が斜め格子状の配置パターンが挙げられる。ここでは、スキンケア剤４を含む窪み部６２を有する凸部６、６の間に、窪み部６２の無い凸部６９が配されている。斜め格子状の配置の場合、格子状で、窪み部６２の無い凸部６９と窪み部６２を有する凸部６を均一に配置することができ、上記の均一なスキンケア効果と、表面材のクッション保持性、通気性及び通液性能とをいずれも確保することが可能となり好ましい。なお、窪み部６２の無い凸部６９はスキンケア剤を含む場合、スキンケア剤を含まない場合のいずれであってもよい。
また、図９（Ｂ）に示すように、スキンケア剤４を含む窪み部６２を有する凸部６を長手方向Ｙに並べた列を幅方向Ｘに間欠配置（ストライプ状の配置）した配置パターンが挙げられる。この場合、図１０に示すように、上記の領域Ｍ１内において、ストライプ状の複数の領域Ｍ２に、スキンケア剤４を含む窪み部６２を有する凸部６の列を配置し、領域Ｍ２に隣接する領域Ｍ３に窪み部６２が無い凸部６９の列を配置することとなる。この配置パターンでは、窪み部６２の無い凸部６９と窪み部６２を有する凸部６をストライプ状で配置することができ、上記のスキンケア効果と、表面材のクッション保持性、縦方向の通気性及び通液性能とをいずれも確保することが可能となり好ましい。なお、窪み部６２の無い凸部６９はスキンケア剤を含む場合、スキンケア剤を含まない場合のいずれであってもよい。この変形例として、領域Ｍ３において、図９（Ｃ）に示すように、スキンケア剤４を含んでいない窪み部６２を有する凸部６８が配列される配置パターンであってもよい。この場合、スキンケア剤をストライプ状で塗ることができ、スキンケア剤の量を少なく、通液性能を確保することが可能となり好ましい。
図９（Ｂ）や図９（Ｃ）においては、領域Ｍ２に、スキンケア剤４を含む窪み部６２を有する凸部６を長手方向Ｙに並べた列が１列ずつ配置されているが、これに限らない。例えば、２列以上の複数列を束にして領域Ｍ２を形成してもよい。この場合、横方向の通気性、通液性能を確保可能となり好ましい。また、ストライプ状の配置として、図４に示すような互いに独立した錐台形状の凸部６を用いる場合に限らず、図５に示すような筋状に形成された凸部６を長手方向Ｙに延出させて幅方向Ｘに間欠配置していてもよい。この場合、縦方向にストライプ状で配置することができ、おむつが縦方向にヨレても持続的にスキンケア移行効果と、縦方向の通気性、通液性能を確保することが可能となり、横方向への便の拡散防止効果を高めることができ好ましい。
【００４１】
また、表面シート１において、凸部６の形状や数、大きさは、図２〜９に示したものに限定されない。凸部６に峰部６１と峰部６１に挟まれた窪み部６２を備え、スキンケア剤４を特定の配置として、前述のスキンケア剤４の持続的な肌への移行をより安定的に発現する限り、凸部６の形状や数、大きさを種々に適宜設定できる。
【００４２】
本実施形態のおむつ１０の構成部材は、吸収性物品において通常用いられる素材を特に制限なく用いることができる。前述した構成部材以外に他の部材を適宜組み込んでもよい。また、おむつ１０の構成として、図１に示すものに限らず、縦長の吸収性本体（表面シート、裏面シート及び吸収体）のユニットに前側部と後側部とに分離した外装体とを組み合わせたものであってもよい。
【００４３】
本発明の吸収性物品は、上記の実施形態に制限されない。前述のとおり、凸部６に峰部６１と窪み部６２を配し、スキンケア剤４を峰部６１よりも窪み部６２に多く配した表面シート１を具備する限り、種々の吸収性物品に適用することができる。例えば、テープ型のおむつに限らず、パンツ型のおむつであってもよく、尿とりパッド、生理用ナプキン、パンティライナーなど、着用者の肌に当接して装着し、排泄物を吸収する種々の物品に適用できる。
【符号の説明】
【００４４】
１  表面シート
２  裏面シート
３  吸収体
４  スキンケア剤
５  凹凸構造
６  凸部
６１  峰部
６２  窪み部
６３  中空部
６４  根本壁部
６５  根本壁部の上方にある壁部（上方壁部）
６６  高凸部
６７  低凸部
７  凹部
８  サイドシート
９  ファスニングテープ
１０  おむつ
１０Ａ  前側サイドフラップ
１０Ｂ  後側サイドフラップ
【図１】
2020146133.tif 000004
【図２】
2020146133.tif 000005
【図３】
2020146133.tif 000006
【図４】
2020146133.tif 000007
【図５】
2020146133.tif 000008
【図６】
2020146133.tif 000009
【図７】
2020146133.tif 000010
【図８】
2020146133.tif 000011
【図９】
2020146133.tif 000012
【図１０】
2020146133.tif 000013